(57)【要約】      （修正有）【課題】電槽化成後に、安全弁が安全弁筒から外れない構造の制御弁式鉛蓄電池を提供する。【解決手段】キャップ形をしており、頭部２０と装着部２１を有する安全弁１１をＬ形安全弁筒１４に装着する。安全弁部の底面部１６には、すり鉢状の傾斜１５と穴部とを設ける。そして、電槽化成をした後に、安全弁１１が装着されているＬ形安全弁筒１４を穴部に嵌合させて、Ｌ形安全弁筒１４の先端が略水平方向を向くようにする。ここで、電池内部に圧力がかかり、安全弁１１の頭部２０が壁面１９に当接されている状態でも、装着部２１はＬ形安全弁筒１４に装着されているようにする。【選択図】          図１
2004259574.tif 000002
【特許請求の範囲】
【請求項１】
蓋に形成されている壁面を有する安全弁部の安全弁筒に、キャップ形をしたゴム製の安全弁を装着して製造する制御弁式鉛蓄電池において、前記安全弁は、頭部と装着部とを有しており、前記安全弁筒として先端が略水平方向を向いているＬ形安全弁筒を使用しており、前記頭部が前記壁面に当接された状態においても、前記装着部は前記Ｌ形安全弁筒に装着されていることを特徴とする制御弁式鉛蓄電池。
【請求項２】
前記Ｌ形安全弁筒は、前記安全弁部の内側の底面部に形成されている穴部に嵌合されていることを特徴とする請求項１記載の制御弁式鉛蓄電池。
【請求項３】
前記底面部には、すり鉢状の傾斜が形成されていることを特徴とする請求項２記載の制御弁式鉛蓄電池。
【発明の詳細な説明】
【０００１】
【発明の属する技術分野】
本発明は、制御弁式鉛蓄電池の安全弁部に関するものである。
【０００２】
【従来の技術】
制御弁式鉛蓄電池は安価で信頼性の高い電池として、自動車用電池や無停電電源装置などのさまざまな用途に用いられている。図３、４は、従来から使用されている一般的な制御弁式鉛蓄電池の安全弁部８の概略図及び切欠き断面斜視図である。
【０００３】
従来から使用されていた制御弁式鉛蓄電池は、組み立てられた後に、図３に示される安全弁筒１２の排気口１３から希硫酸電解液を注液し、電槽化成をし、安全弁筒１２にキャップ形をしたゴム製の安全弁１１を装着してから、溶着や接着によって上蓋１０を略円筒形状をした安全弁部８の壁面１９の上部に取り付けていた。
【０００４】
ここで、安全弁１１は、誤った充電などによって制御弁式鉛蓄電池の内部圧力が異常に上昇した場合には、内部のガスを排気孔１３を通して外部に逃がす役割をするものである。ここで、安全弁１１としては、一定の圧力で作動することが要求されるために、例えば、特許文献１などではその形状を改良する手法が開示されている。
【０００５】
また、電槽化成方法としては、例えば、特許文献２などでその手法の改良が開示されている。
【０００６】
【特許文献１】
特開２００１−０１５０９３号公報
【特許文献２】
特開２００２−２７０２１７号公報
【０００７】
【発明が解決しようとする課題】
しかしながら、図３に示されるような従来の安全弁部８の構造では、安全弁筒１２の排気口１３の径が小さいために希硫酸電解液を注液する工程に多くの時間がかかっていた。また、図３に示す構造の安全弁部８では、電槽化成時に希硫酸電解液のミストが安全弁筒１２の外側部分に付着したり、底面部１６に蓄積する場合が認められた。加えて、安全弁筒１２にキャップ形の安全弁１１を装着してから上蓋１０を溶着するまでの間に、電池内部でのガス発生によって、安全弁１１が外れる場合があった。この場合には、安全弁１１を有しないような制御弁式鉛蓄電池が製造される場合があった。
【０００８】
本発明の目的は、上記した課題を解決するものであり、電解液を注液しやすく、電槽化成時に電解液が安全弁筒１２に付着しにくくするとともに、安全弁１１が外れにくい構造の制御弁式鉛蓄電池を提供することである。
【０００９】
【課題を解決するための手段】
上記した課題を解決するために、本発明は、安全弁部の底面部に穴部とすり鉢状の傾斜を設けるとともに、電槽化成後に安全弁が装着されているＬ形安全弁筒を穴部に嵌合させるようにしたものである。そして、上蓋を溶着するまでの間に電池内部に圧力がかかったような場合でも、安全弁が外れないようにしたものである。
【００１０】
すなわち、請求項１記載の発明は、蓋に形成されている壁面を有する安全弁部の安全弁筒に、キャップ形をしたゴム製の安全弁を装着して製造する制御弁式鉛蓄電池において、前記安全弁は、頭部と装着部とを有しており、前記安全弁筒として先端が略水平方向を向いているＬ形安全弁筒を使用しており、前記頭部が前記壁面に当接された状態においても、前記装着部は前記Ｌ形安全弁筒に装着されていることを特徴としている。
【００１１】
請求項２記載の発明は、請求項１記載の発明において、Ｌ形安全弁筒は、前記安全弁部の内側の底面部に形成されている穴部に嵌合されていることを特徴としている。
【００１２】
請求項３記載の発明は、請求項２記載の発明において、底面部には、すり鉢状の傾斜が形成されていることを特徴としている。
【００１３】
【実施例】
以下に、本発明に係わる制御弁式鉛蓄電池の実施例について図１、２、４を用いて詳細に説明する。
本発明に係わる制御弁式鉛蓄電池は、以下に示す工程で製造した。すなわち、正極板１と負極板２とをセパレータ３を介して積層し、耳部１８を溶接して鉛合金製のストラップ６と極柱９とを有する極板群を作製し、該極板群を電槽４に挿入する（図４）。なお、図４に示されるように、鉛合金製の極柱９の上部には、リード線などを用いて、図示されていない外部負荷と接続するための金属製、たとえば銅製の端子７が鋳造によって埋め込まれている。そして、端子７の中央にはネジが切られており、ボルトによってリード線が螺合されて固定される。
【００１４】
一方、ポリプロピレン樹脂等を用いた蓋５には、安全弁部８が形成されている。ここで、本発明に係わる安全弁部８の底面部１６には穴部１７が形成されている（図１、２）。
【００１５】
電槽４と蓋５とを溶着して組み立てられた制御弁式鉛蓄電池は、蓋５の穴部１７（図２（ａ））から希硫酸電解液を注入した後に従来の手法で電槽化成をした。ここで、本発明に係わる制御弁式鉛蓄電池の穴部１７の径は、従来の排気口１３の径よりも大きくすることができるために、希硫酸電解液の注液作業が容易となり、注液時間も短縮することができる。
【００１６】
なお、図３に示されるような従来の安全弁部８の構造では、電槽化成中は発生するミストによって、希硫酸電解液が安全弁筒１２の側面に付着したり、底面部１６に蓄積する場合が認められた。
【００１７】
しかしながら、本発明に係わる安全弁部８では、図２に示されるように、底面部１６にはすり鉢状の傾斜１５を有している。したがって、安全弁部８の内側に付着した希硫酸電解液が電槽４に流れ落ちて回収されるために、この部分に蓄積されにくくすることができる。また、本発明に係わる安全弁部８では化成時には図３に示されるような安全弁筒１２を有しない構造であるため、安全弁部８の内側に希硫酸電解液が付着したような場合でも、容易に付着部分を拭き取ることができる。
【００１８】
電槽化成をした制御弁式鉛蓄電池は、キャップ形をしたゴム製の安全弁１１が装着されている樹脂製のＬ形安全弁筒１３の底部を、蓋５に形成されている穴部１７に嵌合させて、その先端が略水平方向を向くようにした（図２）。なお、Ｌ形安全弁筒１３の底部と穴部１７とは、嵌合部分を接着剤などで接着することによって、よりしっかりと固定することもできる。
【００１９】
ここで、図１に示されるように、安全弁１１は、頭部２０と装着部２１で構成されている。そして、電池内部でのガス発生によって圧力がかかった場合でも、安全弁１１の頭部２０は略円筒状をした壁面１９と当接するようにして、装着部２１がＬ形安全弁筒１３の先端から外れないようにした。
【００２０】
したがって、安全弁１１を付けた後に電池内部の圧力が上昇したような場合でも、安全弁１１が壁面１９の部分で保持されて、Ｌ形安全弁筒１３から外れることがない。したがって、安全弁１１を有しない制御弁式鉛蓄電池が誤って製造されることもない。
【００２１】
【発明の効果】
上述したように、本発明に係わる安全弁筒を有する制御弁式鉛蓄電池は、短時間で電解液の注液ができるとともに、電槽化成時に安全弁部に付着した希硫酸電解液を容易に除去することができる。また、本発明に係わる制御弁式鉛蓄電池では、安全弁が外れることがなく工業上極めて優れたものである。
【図面の簡単な説明】
【図１】本発明に係わる安全弁部の要部概略図である。
【図２】本発明に係わる安全弁部の概略図である。
【図３】従来の安全弁部の概略図である。
【図４】制御弁式鉛蓄電池の切欠き断面斜視図である。
【符号の説明】
１：正極板、２：負極板、３：セパレータ、４：電槽、５：蓋、６：ストラップ、
７：端子、８：安全弁部、９：極柱、１０：上蓋、１１：安全弁、
１２：安全弁筒、１３：排気口、１４：Ｌ形安全弁筒、１５：傾斜、
１６：底面部、１７：穴部、１８：耳部、１９：壁面、２０：頭部、
２１：装着部
【図１】
2004259574.tif 000003
【図２】
2004259574.tif 000004
【図３】
2004259574.tif 000005
【図４】
2004259574.tif 000006